(57)【要約】  ワイヤレスＬＡＮ環境での音声品質制御方法及びその装置が開示される。該音声品質制御方法及びその装置では、アクセスポイントに連結されている端末のチャネル占有時間を把握するためのチャネル状態情報を収集して把握した、チャネル総容量に対する端末のチャネル占有率を基に、端末のコーデックビット率を調整した後、その調整値を各端末に伝送することによって端末のコーデックビット率を制御する。
2011509007.tif 000002
【特許請求の範囲】
【請求項１】
アクセスポイントに連結されている無線端末のチャネル占有時間を把握するためのチャネル状態情報を収集する段階と、
前記チャネル状態情報を利用して把握された、チャネル総容量に対する前記無線端末のチャネル占有率を基に、前記無線端末のコーデックビット率を調整する段階と、
前記調整されたコーデックビット率を伝送する段階と、を含むことを特徴とするＶｏＩＰシステムでの音声品質制御方法。
【請求項２】
前記チャネル状態情報は、前記アクセスポイントが前記無線端末のそれぞれと授受するフレーム数、バイト数及び伝送速度を含むことを特徴とする請求項１に記載のＶｏＩＰシステムでの音声品質制御方法。
【請求項３】
前記チャネル状態情報を受信する段階は、
あらかじめ設定された一定周期ごとに、前記アクセスポイントから前記チャネル状態情報を受信する段階とを含むことを特徴とする請求項１に記載のＶｏＩＰシステムでの音声品質制御方法。
【請求項４】
前記コーデックビット率の調整段階は、
時間単位で前記チャネル総容量を設定する段階とを含むことを特徴とする請求項１に記載のＶｏＩＰシステムでの音声品質制御方法。
【請求項５】
前記コーデックビット率の調整段階は、
前記チャネル総容量のうち一定チャネル余裕分を考慮して臨界チャネル容量を設定する段階と、
前記チャネル占有率が前記臨界チャネル容量を超えれば、前記無線端末の前記コーデックビット率を調整する段階と、を含むことを特徴とする請求項１に記載のＶｏＩＰシステムでの音声品質制御方法。
【請求項６】
前記コーデックビット率の調整段階は、
前記無線端末のコール設定要請またはコール設定解除によって変更されるチャネル容量を把握する段階と、
前記変更されるチャネル容量を反映して把握した、前記チャネル総容量に対する前記無線端末のチャネル占有率を基に、前記無線端末のコーデックビット率を調整する段階と、を含むことを特徴とする請求項１に記載のＶｏＩＰシステムでの音声品質制御方法。
【請求項７】
前記コーデックビット率の調整段階は、
前記無線端末が伝送する音声ペイロードのサイズ、または前記無線端末と通話が設定された相対端末から受信する音声ペイロードのサイズを決定するビット率を調整する段階を含むことを特徴とする請求項１に記載のＶｏＩＰシステムでの音声品質制御方法。
【請求項８】
前記コーデックビット率の調整段階は、
Ｇ．７２９．１コーデックのビット率を調整する段階を含むことを特徴とする請求項１に記載のＶｏＩＰシステムでの音声品質制御方法。
【請求項９】
前記調整されたコーデックビット率を伝送する段階は、
前記コーデックビット率が調整される無線端末だけを指定するマルチキャスト・アドレスを含むビット率調整メッセージを伝送する段階を含むことを特徴とする請求項１に記載のＶｏＩＰシステムでの音声品質制御方法。
【請求項１０】
前記調整されたコーデックビット率を伝送する段階は、
前記調整されたコーデックビット率についての情報を、前記アクセスポイントに連結されたあらゆる無線端末にブロードキャスティングする段階を含むことを特徴とする請求項１に記載のＶｏＩＰシステムでの音声品質制御方法。
【請求項１１】
アクセスポイントに連結されている無線端末のチャネル占有時間を把握するためのチャネル状態情報を収集するチャネル状態収集部と、
前記チャネル状態情報を利用して把握された、チャネル総容量に対する前記無線端末のチャネル占有率を基に、前記無線端末のコーデックビット率を調整するビット率計算部と、
前記調整されたコーデックビット率を伝送するビット率伝送部と、を含むことを特徴とするＶｏＩＰ音声品質制御装置。
【請求項１２】
前記チャネル状態収集部は、前記アクセスポイントが前記無線端末のそれぞれと授受するフレーム数、バイト数及び伝送速度を含む前記チャネル状態情報を収集することを特徴とする請求項１１に記載のＶｏＩＰ音声品質制御装置。
【請求項１３】
前記チャネル状態収集部は、あらかじめ設定された一定周期ごとに、前記アクセスポイントから前記チャネル状態情報を受信することを特徴とする請求項１１に記載のＶｏＩＰ音声品質制御装置。
【請求項１４】
前記ビット率計算部は、時間単位で前記チャネル総容量を設定することを特徴とする請求項１１に記載のＶｏＩＰ音声品質制御装置。
【請求項１５】
前記ビット率計算部は、前記チャネル総容量のうち一定チャネル余裕分を考慮して臨界チャネル容量を設定し、前記チャネル占有率が前記臨界チャネル容量を超えれば、前記無線端末の前記コーデックビット率を調整することを特徴とする請求項１１に記載のＶｏＩＰ音声品質制御装置。
【請求項１６】
前記無線端末のコール設定要請又はコール設定解除によって、前記無線端末のコールを設定または解除するコール制御部をさらに含み、
前記ビット率計算部は、前記無線端末のコール設定要請またはコール設定解除によって変更されるチャネル容量を把握し、前記変更されるチャネル容量を反映して把握した、前記チャネル総容量に対する前記無線端末の前記チャネル占有率を基に、前記無線端末の前記コーデックビット率を調整することを特徴とする請求項１１に記載のＶｏＩＰ音声品質制御装置。
【請求項１７】
前記ビット率計算部は、前記無線端末が伝送する音声ペイロードのサイズ、または前記無線端末と通話が設定された相対端末から受信する音声ペイロードのサイズを決定するビット率を調整することを特徴とする請求項１１に記載のＶｏＩＰ音声品質制御装置。
【請求項１８】
前記ビット率計算部は、Ｇ．７２９．１コーデックのビット率を調整することを特徴とする請求項１１に記載のＶｏＩＰ音声品質制御装置。
【請求項１９】
前記ビット率伝送部は、前記コーデックビット率が調整される無線端末だけを指定するマルチキャスト・アドレスを含むビット率調整メッセージを伝送することを特徴とする請求項１１に記載のＶｏＩＰ音声品質制御装置。
【請求項２０】
前記ビット率伝送部は、前記調整されたコーデックビット率についての情報を、前記アクセスポイントに連結されたあらゆる無線端末にブロードキャスティングすることを特徴とする請求項１１に記載のＶｏＩＰ音声品質制御装置。
【請求項２１】
新規端末からコール設定要求を受信する段階と、
前記新規端末と同じアクセスポイントに連結された既存端末のチャネル総容量に対するチャネル占有率を把握する段階と、
前記新規端末が占有するチャネル容量を反映して把握された、前記チャネル総容量に対する前記新規端末と前記既存端末との総チャネル占有率を基に、前記既存端末のコーデックビット率を調整する段階と、
前記調整されたコーデックビット率を伝送する段階と、を含むことを特徴とするＶｏＩＰシステムでの音声品質制御方法。
【請求項２２】
前記新規端末が占有するチャネル容量は、前記新規端末が使用するコーデックのメディア情報から把握されることを特徴とする請求項２１に記載のＶｏＩＰシステムでの音声品質制御方法。
【請求項２３】
前記既存端末のコーデックビット率を最小とした場合の前記総チャネル占有率が、既定の臨界値より大きければ、前記コール設定要求を拒む段階をさらに含むことを特徴とする請求項２１に記載のＶｏＩＰシステムでの音声品質制御方法。
【発明の詳細な説明】
【技術分野】
【０００１】
本発明は、ワイヤレスＬＡＮ環境での音声品質制御に係り、さらに詳細には、ワイヤレスＬＡＮ ＶｏＩＰシステムで音声コーデックのビット率を制御することによって、音声品質を保証する方法及びその装置に関する。
【背景技術】
【０００２】
インターネットが広範囲に使われ、インターネットを利用したデータサービス以外に、音声及び映像サービスのようなマルチメディア・サービスへのユーザ要求が増大するにつれ、マルチメディア・サービスの安定した供給のためのリアルタイム品質保証が要求されている。特に、インターネットを利用して音声サービスを提供するＶｏＩＰ（voice over internet protocol）は、データ及び映像に比べ、遅延（delay）及びジッタ（jitter）に対する敏感度が高く、サービスに対するリアルタイム品質保証がさらに必要な応用である。
【０００３】
一方、設置の便利性と移動性とを長所とするワイヤレスＬＡＮ（ＷＬＡＮ）は、１９９０年中盤から広く普及し、最近では、有線ＬＡＮ １００Ｍｂｐｓクラスに比肩する伝送速度を提供し、広く利用されている。また、ＷＬＡＮとＶｏＩＰとの接続によって移動性と利用料節減との効果を示している。
【０００４】
しかし、２．４ＧＨｚ ＩＳＭ（industrial，scientists and medical）帯域を使用するＷＬＡＮは、無線チャネルの特性上、移動環境、フェーディング（fading）、多重信号（multi-path signal）、同一帯域の他の応用による信号干渉のような信号減衰要因が存在するので、チャネル品質によって、無線端末の伝送速度は、流動的に変わってしまう。
【０００５】
ＷＬＡＮのチャネル占有率は、端末の伝送速度及びデータ量によって決定されうるが、伝送速度が遅いほど、チャネル占有率は上昇する。従って、外部要因によってＷＬＡＮチャネル品質が低下して端末が伝送速度を遅くすれば、結果的に、伝送データ量に変化がなくても、チャネル占有率は上昇する。
【０００６】
例えば、音声サービスの場合、Ｇ．７１１コーデックを利用し、端末のＷＬＡＮ伝送速度が５４Ｍｂｐｓに設定されて初期に音声サービスを提供する。チャネル品質低下によって、端末がＷＬＡＮ伝送速度を５４Ｍｂｐｓ以下（例えば、１８Ｍｂｐｓ）に下げれば、Ｇ．７１１音声データをいずれも伝送するには変わりないが、ＷＬＡＮチャネルの占有率は、相対的に上昇する。
【０００７】
このようにチャネル品質が低下する状況が、１つのＡＰ（access point）に接続されている多数のＷＬＡＮ端末で発生すれば、多数のＷＬＡＮ端末による無線チャネル占有率が上昇する。これは、無線チャネル占有率がサービス開始点で端末によって予想される臨界値（threshold value）を超え、ＷＬＡＮチャネルの劣化（deterioration）を発生させ、すなわちＢＳＳ（basic service set）内のあらゆる端末がサービスを正常に行えない状況を招く。
【０００８】
２００６年５月にＩＴＵ−Ｔは、可変ビット率を支援する広域音声コーデックＧ．７２９．１を標準化した。Ｇ．７２９．１は、Ｇ．７２９−Annex Ａ，Ｂと互換可能なので、狭帯域を支援するだけではなく、既存の音声帯域幅に５０〜３００Ｈｚ及び３,４００〜７,０００Ｈｚ帯域を追加し、人間の音声をさらに自然音に近く再生する。また、Ｇ．７２９．１は、ネットワークの状態によって、音声データの量を調節できるように、１４〜３２ｋｂｐｓ範囲内で、２ｋｂｐｓ単位で調節できる可変ビット率特性を有する。また、Ｇ．７２９．１は、別途のコーデックビット率を調整するためのシグナリング・プロトコルなしに、通話中にもコーデック間の音声データ伝送ビット率を調整することができる埋め込み（embedded）シグナリング機能を有する。
【発明の概要】
【発明が解決しようとする課題】
【０００９】
本発明がなそうとする技術的課題は、ＷＬＡＮ ＶｏＩＰシステムで、ＷＬＡＮチャネル劣化が発生したり、または予想される状況に備え、Ｇ．７２９．１のビット率を調整してチャネル劣化を防止し、適切な音声品質を保証するためのコーデックビット率の制御方法及びその方法を提供するところにある。
【課題を解決するための手段】
【００１０】
前記技術的課題を達成するための、本発明によるＶｏＩＰシステムでの音声品質制御方法の一実施形態は、アクセスポイントに連結（connect）されている無線端末のチャネル占有時間を把握（determine）するためのチャネル状態情報を収集する段階と、前記チャネル状態情報を利用して把握された、チャネル総容量に対する前記無線端末のチャネル占有率を基に、前記無線端末のコーデックビット率を調整する段階と、前記調整されたコーデックビット率を伝送する段階と、を含む。
【００１１】
前記技術的課題を達成するための、本発明によるＶｏＩＰシステムの音声品質制御装置の一実施形態は、アクセスポイントに連結されている無線端末のチャネル占有時間を把握するためのチャネル状態情報を収集するチャネル状態収集部と、前記チャネル状態情報を利用して把握された、チャネル総容量に対する前記無線端末のチャネル占有率を基に、前記無線端末のコーデックビット率を調整するビット率計算部と、前記調整されたコーデックビット率を伝送するビット率伝送部と、を含む。
【発明の効果】
【００１２】
Ｇ．７２９．１の特性とＷＬＡＮのチャネル特殊性とを考慮するとき、現在サービスされているほとんどのＶｏＩＰシステムがＧ．７１１またはＧ．７２９コーデックを支援する状況で、ＷＬＡＮを利用したＶｏＩＰシステムにＧ．７２９．１を適用すれば、既存Ｇ．７２９システムと互換性を有しつつ、ＷＬＡＮのチャネル劣化状況で、Ｇ．７２９．１の可変ビット率特性を利用して音声データの量を調節できるので、音声サービスの品質を保証することができる。
【図面の簡単な説明】
【００１３】
【図１】本発明による音声品質制御方法が適用されるＶｏＩＰ網の概略的な構造を図示した図面である。
【図２】本発明による音声品質制御方法の一実施形態を示すフローチャートである。
【図３】本発明による音声品質制御が適用されるＷＬＡＮ ＶｏＩＰシステムの一例を図示した図面である。
【図４】図３に図示されたＷＬＡＮ ＶｏＩＰシステムでの音声品質制御方法の一実施形態を示すフローチャートである。
【図５】本発明によるＷＬＡＮ環境での音声品質制御装置の一実施形態の構成を図示した図面である。
【発明を実施するための形態】
【００１４】
以下、添付された図面を参照しつつ、本発明による音声品質制御装置及びその方法について詳細に説明する。
【００１５】
図１は、本発明による音声品質制御方法が適用されるＶｏＩＰ（voice over internet protocol）網の概略的な構造を図示した図面である。
【００１６】
図１を参照すれば、ネットワーク（網）は、Ｇ．７２９．１コーデックを搭載した有無線端末（無線端末１〜８、有線端末１〜３）、アクセスポイント（ＡＰ）１１２，１２２、ＱｏＳ（quality of service）マネージャ１００などから構成される。ネットワークは、アクセスポイントと、そのアクセスポイントに連結されたさまざまな無線端末とを含むいくつかの基本サービスセット（ＢＳＳ：basic service set）１１０，１２０によって構成されるアクセスネットワークを含む。例えば、第１ＢＳＳ１１０は、Ｇ．７２９．１コーデックと、ワイヤレスＬＡＮ（ＷＬＡＮ）機能とを搭載した端末（無線端末１〜４）、並びに第１アクセスポイント１１２を含む。第１ＢＳＳのアクセスネットワークは、第１ルータ１４０を介してインターネット１５０に連結される。有線端末１〜３は、イーサネットハブ１３０及び第２ルータ１４２を介して、インターネット１５０に連結される。
【００１７】
第１ＢＳＳ１１０に属した端末と通信する相対端末は、第１ＢＳＳ１１０または他のＢＳＳ１２０内に位置するか、またはイーサネット（登録商標）を介して連結された端末（有線端末１〜３）でありうる。このとき、相対端末もまたＧ．７２９．１コーデックを搭載したり、最小Ｇ．７２９コーデックを搭載していなければならない。ＱｏＳマネージャ１００は、アクセスポイント１１２，１２２を介して品質制御に必要な情報を受信し、品質制御のための命令を各端末に送信するような品質制御機能を総括する。
【００１８】
図２は、本発明による音声品質制御方法の一実施形態を示すフローチャートである。
【００１９】
図２を参照すれば、アクセスポイント２１０は、自身が管理するＢＳＳに属している無線端末２００，２０２のフレーム伝送情報を測定する（Ｓ２３０）。ここで、フレーム伝送情報は、各無線端末２００，２０２のチャネル占有時間を計算するための情報として、無線端末とアクセスポイントとが授受するフレーム数、バイト数、伝送速度などを含み、端末区分のための情報として、各端末のＭＡＣ（media access control）アドレス、ＩＰ（internet protocol）アドレスなどを含む。アクセスポイント２１０は、測定したフレーム伝送情報をチャネル容量計算のために、ＱｏＳマネージャ２２０に伝達する（Ｓ２３５）。アクセスポイント２１０のフレーム伝送情報の伝達周期は、ＱｏＳマネージャ２２０によって設定可能であり、伝達周期は、チャネル容量を正確に把握できるように決定されることが望ましい。
【００２０】
アクセスポイントから各端末に係わるフレーム伝送情報を受信したＱｏＳマネージャ２２０は、時間単位（例えば、１秒単位）で無線チャネル総容量を設定した後、アクセスポイントと各端末とによって占有される無線チャネル占有率を計算して比較し、端末によって占有されるチャネル容量の調整いかんを決定する（Ｓ２４０）。調整が必要ではなければ、現状態を維持するが、もし端末のチャネル容量調整が必要であるならば、ＱｏＳマネージャ２２０は、各端末２００，２０２のＧ．７２９．１ビット率調整メッセージをアクセスポイントに伝送する（Ｓ２４５）。
【００２１】
ＱｏＳマネージャ２２０がアクセスポイント２１０に伝送するビット率調整メッセージは、アクセスポイント２１０を目的地とするイーサネットフレームであるが、実質的に、ビット率調整メッセージの受信対象は、アクセスポイント２１０のＢＳＳに含まれている端末２２０，２０２であるから、アクセスポイント２１０は、Ｇ．７２９．１ビット率調整メッセージをＢＳＳ内のあらゆる端末が受信することができるように、ブロードキャスティング（broadcasting）する（Ｓ２５０）。もしＢＳＳの特定端末に限って、ビット率調整メッセージを伝送しようとする場合、ＱｏＳマネージャ２２０は、特定受信端末だけ指定するマルチキャスト・アドレスを挿入したビット率調整メッセージをアクセスポイント２１０に伝送し、そのアクセスポイント２１０は、当該グループアドレスを利用し、ＢＳＳ内にビット率調整メッセージをマルチキャスティングする（Ｓ２５０）。このとき、ブロードキャスティング／マルチキャスティングは、データフレームの形式で行われるが、受信端末のＭＡＣ上位階層にフレームが伝えられるようにすることが望ましい。
【００２２】
アクセスポイント２１０から、Ｇ．７２９．１ビット率調整メッセージを受信した各端末２００，２０２は、そのメッセージに含まれたＱｏＳマネージャ２２０の命令によって、Ｇ．７２９．１のビット率を調整する（Ｓ２５５，Ｓ２６０）。このとき、ビット率調整によって制御可能な音声データは、双方向データ、すなわち端末の送信音声データ及び受信音声データであり、これはＧ．７２９．１のＭＢＳ（maximum bit-rate supported）とＦＴ（frame type）とのフィールドを利用して可能である。すなわち、ＱｏＳマネージャ２２０は、ビット率調整メッセージに、ＭＢＳとＦＴとのフィールド値を新たに設定することによって、各端末のチャネル占有率を調整する。
【００２３】
かような過程を介して、ＱｏＳマネージャ２２０は、ＷＬＡＮチャネル状態によって、Ｇ．７２９．１を搭載した端末のビット率を適切に調整することによって、音声サービスのリアルタイム品質を保証できる。
【００２４】
図３は、本発明による音声品質制御が適用されるＷＬＡＮ ＶｏＩＰシステムの一例を図示した図面である。
【００２５】
図３を参照すれば、ＷＬＡＮ ＶｏＩＰシステムは、第１ＢＳＳ３００及び第２ＢＳＳ３２０を含み、各ＢＳＳは、アクセスポイント（ａｐ）３１０，３３０、及び無線端末３０２ないし３０６，３２２ないし３２８から構成される。各ＢＳＳに存在するアクセスポイント３１０，３３０は、スイッチ３４０，３４２とルータ３５０，３５２とを経てインターネットに連結される。インターネットには、アクセスポイントと各ＷＬＡＮ端末とを制御するＱｏＳマネージャ３６０が位置する。
【００２６】
図４は、図３に図示されたＷＬＡＮ ＶｏＩＰシステムでの音声品質制御方法の一実施形態を示すフローチャートである。
【００２７】
図４を参照すれば、第１ＢＳＳ３００のほとんどの無線端末３０２，３０４，３０６は、第２ＢＳＳ３２０に存在する無線端末３２２，３２４，３２６と通話中であり、第１ＢＳＳ３００と第２ＢＳＳ３２０とには、音声通話がまだなされていない端末３０８，３２８がそれぞれ一つずつ存在すると仮定する。また本実施形態で、あらゆる端末は、Ｇ．７２９．１広域音声コーデックを搭載していると仮定する。
【００２８】
まず、第１ＢＳＳ３００のアクセスポイント３１０は、ＱｏＳマネージャ３６０に周期的にＷＬＡＮチャネル状態についての情報を報告する（Ｓ４００）。報告周期は、ＱｏＳマネージャ３６０によって設定されうる。ＷＬＡＮチャネル状態についての情報は、アクセスポイント３１０に接続されている無線端末３０２，３０４，３０６と、アクセスポイント３１０とが授受するデータフレーム数、バイト数、伝送速度のようなパラメータを含み、無線端末区分のための各端末のＭＡＣアドレス及びＩＰアドレスを含む。
【００２９】
まだ音声通話がなされていない第１新規端末３０８は、音声通話セッション受諾要請（request）メッセージをＱｏＳマネージャ３６０に伝達する（Ｓ４０５）。セッション要請の一例として、ＳＩＰ（session initiation protocol）のINVITEメッセージを利用できる。セッション受諾要請メッセージは、メディアタイプ登録のために第１新規端末３０８に搭載されたＧ．７２９．１伝送情報を含む。例えば、セッション受諾要請メッセージは、当該セッションでコーデックに支援される最大伝送速度（maxbitrate）、セッションの相対端末のエンコーダの最大伝送速度（ｍｂｓ）、１パケット中にあるメディアによって表現される時間長（ｐtime）などの情報を含むことができる。
【００３０】
ＱｏＳマネージャ３６０は、第１新規端末３０８によってセッション要請が発生するとき、チャネル容量を計算する（Ｓ４１０）。ＱｏＳマネージャ３６０は、既存に通話がなされている無線端末３０２，３０４，３０６によって占有されているチャネル容量は、アクセスポイント３１０から報告されたチャネル状態情報から周期的にアップデートする。また、第１新規端末３０８によって占有されるチャネル容量は、セッション要請時に、メディアタイプ登録のために提供されるセッション受諾要請メッセージのＧ．７２９．１のメディア情報、及びデータフレーム伝送のための端末のＷＬＡＮ伝送速度情報による。
【００３１】
ＱｏＳマネージャ３６０は、チャネル容量計算の結果によって、第１新規端末３０８のセッション要請受諾いかんを決定する（Ｓ４１５）。具体的に、ＱｏＳマネージャ３６０は、第１ＢＳＳ３００に割り当てられた総チャネル容量のうち、チャネル品質の突然の変化に備えたチャネル余裕分を考慮して臨界チャネル容量を設定する。例えば、総チャネル容量を１秒にしたとき、チャネル余裕を１０％と考慮するならば、臨界チャネル容量は、０．９秒に設定される。このように設定された臨界チャネル容量と、以前に計算されたチャネル容量とを比較し、ＱｏＳマネージャ３６０は、セッションを要請した第１新規端末３０８を考慮したチャネル占有率が、臨界チャネル容量未満であるならば、セッション要請を許諾し、臨界チャネル容量以上であるならば、Ｇ．７２９．１ビット率調整可能いかんを判断する。Ｇ．７２９．１ビット率調整は、第１ＢＳＳ３００内の端末３０２，３０４，３０６とアクセスポイント３１０とによって占有される総チャネル占有率が、臨界チャネル容量より小さくなるまで行われる。もしＧ．７２９．１の最小ビット率まで調整したにもかかわらず、臨界チャネル容量よりも総チャネル占有率が大きければ、セッション要請は拒絶される。
【００３２】
ＱｏＳマネージャ３６０は、セッション要請を受諾する場合、セッション受諾を要請した第１新規端末３０８の相対端末、すなわち第２ＢＳＳ３２０の第２新規端末３２８に、コール設定要請メッセージを伝送し（Ｓ４２５）、同時に、第１ＢＳＳ３００の無線端末３０２，３０４，３０６に、Ｇ．７２９．１ビット率調整メッセージを伝送する（Ｓ４２０）。
【００３３】
ビット率調整メッセージを受信した無線端末３０２，３０４，３０６は、自身のコーデック（Ｇ．７２９．１）のビット率を調整する（Ｓ４３０）。すなわち、各無線端末３０２，３０４，３０６は、ビット率調整メッセージによって、コーデックのＭＢＳまたはＦＴのフィールドを調整する。ＭＢＳフィールドを調整する場合、第２ＢＳＳ３２０に存在する相対無線端末３２２，３２４，３２６から受信される音声ペイロード量が調整され、ＦＴフィールドを調整する場合、第２ＢＳＳ３２０の相対無線端末３２２，３２４，３２６に送信される音声ペイロード量が調整される。従って、ＭＢＳとＦＴとのフィールドを利用し、双方向の音声データ量の調整が可能である。
【００３４】
第１ＢＳＳ３００の無線端末３０２，３０４，３０６から調整されたＭＢＳを受信した第２ＢＳＳ３２０の無線端末３２２，３２４，３２６は、受信したＭＢＳ値によって、コーデックのエンコーダ設定を修正し、第１ＢＳＳ３００の無線端末３０２，３０４，３０６に伝送する音声ペイロード量を調整する（Ｓ４３５，Ｓ４４０）。
【００３５】
次に、新規端末３０８，３２８とＱｏＳマネージャ３６０との間で、コール設定のためのシグナリングを行う（Ｓ４４５）。コール設定シグナリングによって、コールが樹立される過程について、ＳＩＰを考慮して説明すれば、ＳＩＰ：１００ trying、ＳＩＰ：１８０ ringing、ＳＩＰ：２００ ＯＫ、ＳＩＰ：ＡＣＫのメッセージが、新規端末とＱｏＳマネージャとの間で交換される。
【００３６】
コール設定シグナリングによってコールが受諾されれば、メディアセッションが開通され（Ｓ４５０）、新規端末間での音声データ交換は、ＲＴＰ（real time protocol）パケットを利用する。
【００３７】
新規端末３０８，３２８間のコールを終了しようとする場合、第１ＢＳＳ３００の第１新規端末３０８は、ＱｏＳマネージャ３６０にコール終了を要請する（Ｓ４５５）。コール終了要請メッセージの一例として、ＳＩＰ：ＢＹＥメッセージがある。
【００３８】
ＱｏＳマネージャ３６０は、新規端末のコール終了によるチャネル容量変化を計算する（Ｓ４６０）。ＱｏＳマネージャ３６０は、第１ＢＳＳ３００の無線端末３０２，３０４，３０６及びアクセスポイント３１０によって占有されるチャネル容量が、チャネル容量臨界よりも小さい範囲内で続けて通話中である無線端末３０２，３０４，３０６のＭＢＳ／ＦＴフィールド値を最大に調整する（Ｓ４６５）。
【００３９】
新規端末３０８，３２８は、ＱｏＳマネージャ３６０とのコール終了のためのシグナリングを行う（Ｓ４７０）。ＳＩＰコール終了シグナリングを例に取れば、ＳＩＰ：ＢＹＥ、ＳＩＰ：２００ ＯＫのメッセージが新規端末とＱｏＳマネージャとの間で交換される。コール終了によって、新規端末３０８，３２８間に、それ以上の音声データ交換はない。
【００４０】
ＱｏＳマネージャ３６０は、新規端末間のコール終了によって、各端末のビット率を調整するためのビット率調整メッセージを各端末に伝送する（Ｓ４７５）。ビット率調整メッセージを受信した無線端末３０２，３０４，３０６は、自身のコーデックビット率を調整する（Ｓ４８０）。すなわち、各端末３０２，３０４，３０６は、ビット率調整メッセージによって、自身が送信する音声ペイロードの量を調整するＦＴフィールドを新たに設定したり、相対端末３２２，３２４，３２６が伝送する音声ペイロードの量を調整するＭＢＳフィールドを新たに設定し、その設定された値を相対端末３２２，３２４，３２６に知らせる（Ｓ４８５）。
【００４１】
第２ＢＳＳ３２０の無線端末３２２，３２４，３２６は、第１ＢＳＳ３００の無線端末３０２，３０４，３０６から調整されたＭＢＳ値を受信し（Ｓ４８５）、受信したＭＢＳ値によって、コーデックのエンコーダ設定を修正した後、修正されたＭＢＳフィールドの値によって、第１ＢＳＳ３００の端末に伝送する音声ペイロードの量を調整する（Ｓ４９０）。
【００４２】
図５は、本発明によるＷＬＡＮ環境での音声品質制御装置の一実施形態の構成を図示した図面である。
【００４３】
図５を参照すれば、音声品質制御装置は、チャネル状態収集部５００、ビット率計算部５１０、ビット率伝送部５２０及びコール制御部５３０から構成される。
【００４４】
チャネル状態収集部５００は、各アクセスポイントに連結されている端末のチャネル占有時間を把握するためのチャネル状態情報を各アクセスポイントから収集する。チャネル占有時間を把握するためのチャネル状態情報としては、アクセスポイントが、自身が属するＢＳＳ内の無線端末それぞれと授受するフレーム数、バイト数及び伝送速度を含み、また無線端末を区分するための各端末のＭＡＣアドレス、ＩＰアドレスなどを含む。チャネル状態収集部５００は、あらかじめ設定された一定周期ごとに、アクセスポイントからチャネル状態情報を受信することができる。
【００４５】
ビット率計算部５１０は、収集したチャネル状態情報を基に、各端末及びアクセスポイントが占有したチャネル容量を計算し、アクセスポイントが属したＢＳＳに割り当てられた総チャネル容量に対する端末及びアクセスポイントのチャネル占有率を計算する。そして、ビット率計算部５１０は、チャネル占有率を基に、各端末のコーデックビット率を調整する。具体的には、ビット率計算部５１０は、チャネル総容量のうち一定チャネル余裕分を考慮して臨界チャネル容量を設定し、端末のチャネル占有率が臨界チャネル容量を超えれば、端末のコーデックビット率を調整する。
【００４６】
コール制御部５３０は、端末のコール設定及びコール解除を担当する。コール設定及びコール解除のとき、チャネルが新たに割り当てられ、または解除されねばならないので、ＢＳＳ内の全体チャネル占有量が変化する。従って、ビット率計算部５１０は、アクセスポイントを介して収集したチャネル状態情報と共に、コール設定及びコール解除のときに発生するチャネル占有率を基に、全体端末のコーデックビット率を再調整する。
【００４７】
ビット率伝送部５２０は、調整されたコーデックビット率を各端末に伝送する。具体的には、ビット率伝送部５２０は、ＭＢＳフィールド及び／またはＦＴフィールドの値を新たに設定したビット率調整メッセージを、各端末にブロードキャスティングまたはマルチキャスティングする。端末は、ビット率調整メッセージに含まれたＭＢＳフィールド及び／またはＦＴフィールドの値によって、各自のＧ．７２９．１のコーデックビット率を調整する。
【００４８】
本発明はまた、コンピュータで読み取り可能な記録媒体に、コンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（read-only memory）、ＲＡＭ（random-access memory）、ＣＤ−ＲＯＭ、磁気テープ、フロッピーディスク、光データ保存装置などがあり、またキャリアウェーブ（carrier waves）（例えば、インターネットを介した伝送）による表示の形態で具現されるものも含む。また、コンピュータで読み取り可能な記録媒体は、ネットワークに連結されたコンピュータシステムに分散され、分散方式によってコンピュータで読み取り可能なコードが保存されて実行されうる。
【００４９】
以上、本発明についてその望ましい実施形態を中心に述べた。本発明が属する技術分野で当業者は、本発明が本発明の本質的な特性から外れない範囲で変形された形態で具現されうることを理解することができるであろう。従って、開示された実施形態は、限定的な観点ではなくして、説明的な観点から考慮されねばならない。本発明の範囲は、前述の説明ではなくして、特許請求の範囲に示されており、それと同等な範囲内にあるあらゆる差異点は、本発明に含まれたものであると解釈されねばならない。
【図１】
2011509007.tif 000003
【図２】
2011509007.tif 000004
【図３】
2011509007.tif 000005
【図４】
2011509007.tif 000006
【図５】
2011509007.tif 000007
【国際調査報告】
2011509007.tif 000008
2011509007.tif 000009